(57)【要約】【課題】モータ、電池を使用せずに多くの薬剤を揮散して大気に拡散できる着用型薬剤拡散装置とする。【解決手段】着用具３で身体に着用される装置本体１と、この装置本体１に、当該装置本体１の動作により回転するように取付けた薬剤保持手段２と、この薬剤保持手段２と前記装置本体１とに取付けられた第１の磁石４、第２の磁石５を備え、前記薬剤保持手段２は空気と触れると薬剤を揮散する薬剤含浸体２ａを有し、この薬剤保持手段２の回転が第１・第２の磁石４，５によって複数回の往復回転に助長され、その薬剤含浸体２ａから多くの薬剤を揮散して大気に拡散できるようにする。【選択図】図２
2008289439.tif 000002
【特許請求の範囲】
【請求項１】
着用具３で身体に装着される装置本体１に、薬剤含浸体２ａを有した薬剤保持手段２を、その薬剤含浸体２ａに空気が触れて揮散した薬剤が大気に拡散し、かつ装置本体１が動作することで回転するように取付け、
この薬剤保持手段２と前記装置本体１に、第１の磁石４と第２の磁石５を、当該薬剤保持手段２の回転によって反発力が生じ、その薬剤保持手段２が反対方向に回転して回転を助長するように取付けしたことを特徴とする着用型薬剤拡散装置。
【請求項２】
装置本体１を着用具３に、薬剤保持手段２の回転方向に揺動可能に連結した請求項１記載の着用型薬剤拡散装置。
【請求項３】
装置本体１は、空気流通部１３で外部と連通した薬剤収納室１２を有し、
この薬剤収納室１２内に薬剤保持手段２を回転可能に取付け、
前記薬剤保持手段２に、前記薬剤収納室１２内の空気を撹拌する撹拌手段を設けた請求項１又は２記載の着用型薬剤拡散装置。
【請求項４】
回転体２０と薬剤保持体３０で薬剤保持手段２とし、
その回転体２０を装置本体１に回転可能に取付け、
前記薬剤保持体３０は薬剤含浸体２ａを有し、かつ前記回転体２０に着脱自在に取付けた請求項１又は２又は３記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠ける。
【０００８】
本発明の目的は、モータ、電池を使用せずに多くの薬剤を確実に揮散することができる着用型薬剤拡散装置を提供することである。
【課題を解決するための手段】
【０００９】
第１の発明は、着用具３で身体に装着される装置本体１に、薬剤含浸体２ａを有した薬剤保持手段２が、その薬剤含浸体２ａに空気が触れて揮散した薬剤が大気に拡散し、かつ装置本体１が動作することで回転するように取付け、
この薬剤保持手段２と前記装置本体１に、第１の磁石４と第２の磁石５を、当該薬剤保持手段２の回転によって反発力が生じ、その薬剤保持手段２が反対方向に回転して回転を助長するように取付けしたことを特徴とする着用型薬剤拡散装置である。
【００１０】
第２の発明は、第１の発明において、装置本体１を着用具３に、薬剤保持手段２の回転方向に揺動可能に連結した着用型薬剤拡散装置である。
【００１１】
第３の発明は、第１又は第２の発明において、装置本体１は、空気流通部１３で外部と連通した薬剤収納室１２を有し、
この薬剤収納室１２内に薬剤保持手段２を回転可能に取付け、
前記薬剤保持手段２に、前記薬剤収納室１２内の空気を撹拌する撹拌手段を設けた着用型薬剤拡散装置である。
【００１２】
第４の発明は、第１又は第２又は第３の発明において回転体２０と薬剤保持体３０で薬剤保持手段２とし、
その回転体２０を装置本体１に回転可能に取付け、
前記薬剤保持体３０は薬剤含浸体２ａを有し、かつ前記回転体２０に着脱自在に取付けた着用型薬剤拡散装置である。
【発明の効果】
【００１３】
請求項１に係る発明によれば、身体を動かすことで装置本体１が動作し、それによって薬剤保持手段２が一方向に回転する。
その薬剤保持手段２が一方向に回転すると第１の磁石４が第２の磁石５に接近して反発力が生じ、その反発力によって薬剤保持手段２が他方向に回転し、再び第１の磁石４が第２の磁石５に接して反発力が生じて薬剤保持手段２が一方向に回転する。
この動作を複数回繰り返すことで、薬剤保持手段２は複数回往復回転する。
【００１４】
このように装置本体１の動作による薬剤保持手段２の回転を、第１の磁石４と第２の磁石５とで複数回の往復回転に助長するので、モータ、電池を使用せずに薬剤含浸体２ａから多くの薬剤を確実に揮散して大気に拡散できる。
【００１５】
請求項２に係る発明によれば、身体が動くことで装置本体１は着用具３に対して薬剤保持手段２の回転方向に揺動するから、身体が動くだけで薬剤保持手段２が必ず回転し、身体に着用して使用する薬剤拡散装置として好適である。
【００１６】
請求項３に係る発明によれば、薬剤保持手段２が回転することで薬剤収納室１２の空気が撹拌され、その空気が薬剤含浸体２ａに十分に触れるので、より多くの薬剤を揮散して空気流通部１３から大気に拡散することができる。
【００１７】
請求項４に係る発明によれば、回転体２０に薬剤保持体３０を着脱自在に取付けたので、その薬剤保持体３０のみを装置本体１から取り外して薬剤含浸体２ａを交換でき、その作業が簡単である。
【発明を実施するための最良の形態】
【００１８】
本発明の第１の実施の形態を図１〜図５に基づいて説明する。
装置本体１と、この装置本体１に回転可能に設けた薬剤保持手段２と、前記装置本体１に取付けた着用具３と、前記装置本体１と前記薬剤保持手段２とに設けられて当該薬剤保持手段２の回転を助長する第１の磁石４、第２の磁石５で着用型薬剤拡散装置としてある。
【００１９】
前記装置本体１は着用具３で人間、動物などの身体に着用される。例えば、人間の腰に吊り下げて着用される。
前記薬剤保持手段２は、薬剤有効成分を主成分とする薬剤（薬剤組成物）を含浸した薬剤含浸体２ａを有し、その薬剤含浸体２ａに空気が触れることで前記薬剤が揮散する。
前記薬剤保持手段２は、装置本体１に、その薬剤含浸体２ａに空気が触れると共に、揮散した薬剤が大気に拡散し、かつ装置本体１を動作することで回転するように設けてある。
【００２０】
前記第１の磁石４は薬剤保持手段２に取付けてある。前記第２の磁石５は装置本体１に取付けてあり、その薬剤保持手段２が一方向に回転すると第１の磁石４が第２の磁石５に接近して反発力が生じるようにしてある。つまり、第１の磁石４と第２の磁石５の同極が対向することで反発力が生じる。
この反発力によって薬剤保持手段２が他方向に回転し、再び第１の磁石４が第２の磁石５に接して反発力が生じて薬剤保持手段２が一方向に回転する。
この動作を複数回繰り返しすることで、薬剤保持手段２は複数回往復回転する。
【００２１】
このように、薬剤保持手段２が回転することで、その薬剤含浸体２ａに対して空気が相対的に流動することになるので、多くの薬剤が揮散する。
しかも、第１の磁石４と第２の磁石５とで薬剤保持手段２の回転が助長されて複数回往復回転するので、装置本体１を僅かに動作することで薬剤保持手段２が確実に回転する。
したがって、モータ、電池を用いずに薬剤保持手段２の薬剤含浸体２ａから多くの薬剤を確実に揮散することができる。
【００２２】
次に、各部の好ましい形態を説明する。
前記装置本体１は、取付本体１０とカバー体１１で薬剤収納室１２を有し、その取付本体１０に着用具３が取付けてあると共に、カバー体１１に空気流通部１３が形成してある。
この空気流通部１３によって薬剤収納室１２が外部に連通し、その薬剤収納室１２に空気が流通する。
前記カバー体１１は取付本体１０に着脱自在に取付けてある。
例えば、前記取付本体１０は、プレート１０ａにリング状の突部１０ｂを設けた形状とし、前記カバー体１１を表面板１１ａと筒体１１ｂを有し、その筒体１１ｂが突部１０ｂに嵌合して取付けられる。
【００２３】
この実施の形態では、カバー体１１の表面板１１ａに、ほぼ三角形状の複数の開口部１３ａが形成されていると共に、筒体１１ｂにスリット状の開口部１３ｂが複数形成され、この各開口部１３ａ，１３ｂで空気流通部１３としてある。
【００２４】
前記薬剤保持手段２は、回転体２０と薬剤保持体３０を備えている。
前記回転体２０は装置本体１の薬剤収納室１２内に回転可能に取付けてある。
前記薬剤保持体３０は、前述の薬剤含浸体２ａを備えていると共に、この薬剤保持体３０が回転体２０に着脱自在に取付けられ、回転体２０とともに薬剤保持体３０が装置本体１の薬剤収納室１２で回転する。
【００２５】
このようであるから、カバー体１１を外して薬剤収納室１２を開放することで、使用済みの薬剤保持体３０を回転体２０から取り外し、新しい薬剤保持体３０を回転体２０に取付けることで、薬剤含浸体２ａを交換でき、その交換作業が簡単である。なお、薬剤保持体３０から薬剤含浸体２ａを取り外し、新しい薬剤含浸体２ａを取付けることもできる。
【００２６】
前記回転体２０には撹拌手段、例えば撹拌用の羽根片２１が設けてある。
これによって、回転体２０が回転することで薬剤収納室１２内の空気が撹拌されるので、薬剤含浸体２ａに対する空気の流動が著しくなって、より多量の薬剤が揮散すると共に、薬剤収納室１２に流入、流出する空気の量が多くなり、薬剤が大気よりに多く放散される。
【００２７】
前記回転体２０の具体形状を説明する。
前記回転体２０は、円板状の中央プレート２２とリング状の外周プレート２３を放射状の複数のリブ２４で一体的に連結した複数の通気用開口部２５を有した円板形状で、その中央プレート２２に回転軸２６が取付けてあると共に、外周プレート２３に複数のピン２７が設けてある。前記各リブ２４に前述の羽根片２１が設けてある。
前記装置本体１の取付本体１０の中央部には孔１４が形成してあり、この孔１４に前記回転軸２６を回転自在に挿入して支持することで回転体２０を取付本体１０に回転可能に取付けてある。
【００２８】
前記第１の磁石４は回転体２０の外周プレート２３の裏面（回転体２０の裏面）に、前記取付本体１０と対向して固着してある。
前記第２の磁石５は取付本体１０に、前記回転体２０の外周プレート２３と対向して固着してある。
この第１の磁石４と第２の磁石５は前記回転体２０の回転中心（回転軸２６）を中心とする同一の円形軌跡上に位置し、回転体２０が図４で一方向（矢印ａ）に回転すると第１の磁石４が第２の磁石５に接近して反発力が生じ、その反発力で回転体２０が他方向（矢印ｂ）に回転する。
【００２９】
前記薬剤含浸体２ａは、薬剤有効成分を主成分とする薬剤（薬剤組成物）を含浸した不織布などの通気性のシートとしてある。
前記薬剤保持体３０は、通気用開口３１を有した容器３２に薬剤含浸体２ａを入れ、通気用開口３３を有した押えプレート３４を容器３２に嵌合してある。
前記容器３２には複数の穴３５が形成され、この穴３５を前記回転体２０のピン２７に嵌合することで、薬剤保持体３０が回転体２０に着脱自在に取付けてある。
【００３０】
そして、前記回転体２０の通気用開口部２５と薬剤保持体３０の通気用開口３１，３３が相対向し、これらの通気用開口部２５、通気用開口３１，３３を通して空気が薬剤含浸体２ａに触れるようにしてある。
【００３１】
前記着用具３は、フック３ａである。
そして、人間の腰に装着したベルトや、衣服のポケットにフック３ａを引っ掛けて装置本体１を腰に吊り下げて使用する。
前記着用具３は、バンド、紐や鎖などでも良く、ベルト等に吊り下げたり腰や首など身体の一部に巻く付け吊り下げて使用することができる。
【００３２】
前記薬剤保持手段２は装置本体１の取付本体１０に回転可能に取付けてあるが、その薬剤保持手段２は装置本体１のカバー体１１に回転可能に取付けても良い。
例えば、図２に示す薬剤保持手段２を表裏反転して回転体２０がカバー体１１側で、薬剤保持体３０が取付本体１０側となるようにし、カバー体１１の中央部に孔を形成し、前記回転軸２６をカバー体１１の孔に回転可能に挿入して支持する。
【００３３】
前記回転体２０は、その裏面に中央から四方に向けて複数の羽根片２１（８枚）を有する形状であるが、この羽根片２１は回転体２０の裏面、外周面、又は裏面と表面などに取付けても良いし、この羽根片２１の枚数は限定されない。また、羽根片２１の形状は自由であり、垂直形状、斜めに傾いた形状や湾曲した形状、更には通常のファン形状とすることもできる。
【００３４】
前記羽根片２１は薬剤保持体３０、例えば容器３２の表面、裏面、外周面のいずれか１ヶ所又は複数ヶ所に取付けても良い。
すなわち、薬剤保持手段２に空気撹拌用の羽根片２１を取付ければ良い。
また、回転体２０と薬剤保持体３０を一体として、その回転体２０を取付本体１０（装置本体１）に回転自在で、かつ着脱自在に取付けても良いし、薬剤保持体３０のみで薬剤保持手段２としても良い。
前記装置本体１は取付本体１０のみとしても良い。
前記薬剤保持体３０は、容器３２の代わりに、不織布よりなる薬剤含浸体２ａの外周を２枚の枠で挟み固定したものでも良い。
【００３５】
また、薬剤は有効成分の他に、溶剤、揮散調整剤、分解防止剤などからなる液製剤である。
本発明の薬剤拡散装置は、薬剤（有効成分）の拡散状況が着用者の動作状態及び使用の環境によって左右され不規則である。このことから、薬剤含浸体２ａは有効成分の有無（効力の有無）を目視で確認できる製剤が好ましい。
製剤としては、薬剤として終点表示機能剤を添加した組成物とし、色変化などを目視する。
また、それ自体が表示機能を有する素材を用いることもできる。
製剤種として液剤に限定されず、ゲル化剤によるゲル製剤、昇華剤などからなる固体製剤などとして用いることもできる。製剤自体が減少、又は消滅し、目視で確認できる製剤が好ましい。
また、液剤と含浸物質を組み合わせ、液の減少を目視確認するようにしても良い。
【００３６】
前記第２の磁石５はカバー体１１に取付けても良い。
また、前記回転体２０の第１の磁石４の取付位置としては、その裏面の外周寄り、又は回転体２０の外周面、又は回転体２０の表面の外周よりが好ましい。一方、取付本体１０、又はカバー体１１の第２の磁石５は、第１の磁石４に対向する取付本体１０の表面の外周寄り、又は取付本体１０の外周面内側、カバー体１１内の外周面、又はカバー体１１内の天面に取付ける。
【００３７】
前記第１・第２の磁石４，５の取付け個数は、特に限定されない。
通常、薬剤保持手段２（薬剤含浸体２ａ）が回転する往復距離（円周の長さ）が長くなるほど多くの薬剤が揮散することから、磁石の取付け個数は各々１つが好ましい。また動作状態によるが、回転する往復距離が長くなると回転途中で反転することもあり、この場合、各々２つ取付ける、又は一方を１つ、他方を２つ取り付けるようにしても良い。このことから回転する往復距離（薬剤保持手段２の外径寸法）に応じて取付け個数を決めることが望ましい。
【００３８】
次に、本発明の第２の実施の形態を図６、図７に基づいて説明する。
前記着用具３をフック３ａとすると共に、この着用具３に装置本体１（取付本体１０）を薬剤保持手段２の回転方向に沿って揺動自在に吊り下げ連結する。例えば、前記回転体２０の回転軸２６と平行なピン６で揺動自在（首振り自在）に連結する。
【００３９】
このようにすることで、着用具３の人間の腰のベルトに引っ掛けて吊り下げるようにして着用することで、人間が歩行などすることによって着用具３に対して装置本体１が揺動するので、回転体２０が回転する。
したがって、薬剤保持手段２が確実に連続して回転するので、より多くの薬剤を揮散することができる。
【００４０】
前記第１の磁石４は回転体２０の表面における外周寄りにカバー体１１と対向して取付けてあり、第２の磁石５はカバー体１１の裏面に回転体２０の表面における外周寄りに対向して取付けてある。
【００４１】
前記カバー体１１は取付本体１０に開閉自在に連結してある。
例えば、取付本体１０のフランジ１０ｂに切欠部１０ｃを形成し、カバー体１１の筒体１１ｂに突片１１ｃを設け、この突片１１ｃを前記切欠部１０ｃ内に入れてピン７で回転自在に連結してある。
このようにすれば、カバー体１１をピン７を中心として上方に回動することで図７に仮想線で示すように開放姿勢とすることができる。
【００４２】
次に、本発明の第３の実施の形態を図８〜図１２に基づいて説明する。
この実施の形態は着用具３をバンドとしたものである。
例えば、装置本体１の取付本体１０に一対のバンド取付部４０を設け、そのバンド取付部４０に一側バンド４１と他側バンド４２をそれぞれ取付け、その一側バンド４１に金具４３を設けると共に、他側バンド４２に穴４４を形成してバンドとしてある。
このようであるから、手首、腰、首、頭部（帽子）や肩から脇などにバンドを巻きつけることで着用できる。
【００４３】
この実施の形態では、羽根片２１が薬剤保持体３０の容器３２の上面に放射状に設けてある。
カバー体１１の筒体１１ｂにスリット状の開口１１ｄを形成し、取付本体１０に突片１０ｄを設け、この突片１０ｄに開口１１ｄを嵌め込んでカバー体１１を取付本体１０に着脱自在に取付けて装置本体１としてある。
【００４４】
次に、本発明の第４の実施の形態を図１３〜図１５に基づいて説明する。
この実施の形態は、前述したバンドの着用具３をカバー体１１に取付けたものである。
前記カバー体１１の筒体１１ｂに一対のバンド取付部４０を形成し、そのバンド取付部４０に前述した一側バンド４１、他側バンド４２を取付けて着用具３としてある。
【００４５】
この実施の形態では、薬剤保持手段２を回転体２０と薬剤含浸体２ａで形成してある。
前記回転体２０は、回転軸２６を有した中央プレート２２に複数の突出片２８を放射状に一体的に設けた形状で、その各突出片２８の突出端上面に前述の羽根片２１を上向きに取付けてある。
前記第１の磁石４を１つの突出片２８の突出端面にカバー体１１の筒体１１ｂに向けて固着し、第２の磁石５をカバー体１１の筒体１１ｂに突出片２８の突出端面に向けて固着し、第２の磁石５をカバー体１１の筒体１１ｂに突出片２８の突出端面に向けて固着してある。
【００４６】
前記薬剤含浸体２ａは、前記各突出片２８の上面に亘って載置し、各羽根片２１で外周に向けて動かないように支持して収納される。
この薬剤含浸体２ａは通気性を有する円板状としてある。
なお、薬剤含浸体２ａとしてはハニカム構造体、固形製剤とすることができる。
また、前記薬剤保持手段２を回転体２０と薬剤保持体３０で形成しても良い。
この場合には、薬剤保持体３０を、通気性を有する容器内に粒状の薬剤含浸体２ａを収納したもの、通気性袋内に薬剤含浸体２ａを収納したもの、ゲル製剤を収容した容器等とすることができる。
【００４７】
次に、本発明の第５の実施の形態を図１６、図１７に基づいて説明する。
回転体２０の外周寄りに、リング形状の薬剤含浸体２ａを設けて薬剤保持手段２としてある。
前記回転体２０におけるリング形状の薬剤含浸体２ａの内周面に沿って羽根片２１を複数設け、この複数の羽根片２１によってシロッコファン形状とする。
【００４８】
このようにすることで、薬剤保持手段２が回転することで各羽根片２１によって空気を撹拌できると共に、回転体２０の中心から外周に向かう空気流れ、外周から中心に向かう空気流れが生じるようにできる。
したがって、薬剤含浸体２ａを通気性を有するものとすることで、その内部に空気が流通するようにできるから、薬剤を多く揮散することができる。
【００４９】
この実施の形態では、薬剤含浸体２ａを通気性を有するリング形状としたが、通気性を有するシート状の薬剤含浸体２ａを複数回巻きつけてリング形状としても良いし、通気性を有するリング状の容器内に粒状の薬剤含浸体２ａを収容したものとしても良い。
【００５０】
また、リング形状の薬剤含浸体２ａの内周面に沿って羽根片２１を設けたが、そのリング形状の薬剤含浸体２ａの外周面に沿って羽根片２１を設けても良い。
【００５１】
次に、本発明の薬剤保持手段２について説明する。
前述したように、薬剤保持手段２は、回転体２０と薬剤含浸体２ａを有した薬剤保持体３０、又は回転体２０と薬剤含浸体２ａで構成したが、これに限ることはない。
例えば、薬剤含浸体２ａを有した薬剤保持体３０で薬剤保持手段２とする。
また、図１８（ａ），（ｂ）に示すように回転体２０と薬剤保持体３０とで収納室５０を形成し、その収納室５０に薬剤含浸体２ａを収納する。
【００５２】
図１８（ａ）に示す薬剤保持手段２においては、回転体２０が皿形状で、薬剤保持体３０は開口部３１を有する容器３２で、その容器３２の上面に羽根片２１がそれぞれ設けてある。
図１８（ｂ）に示す薬剤保持手段２においては、回転体２０も開口部２５を有しており、回転体２０の下面と容器３２の上面に羽根片２１がそれぞれ設けてある。
【００５３】
前記薬剤保持手段２は、図示は省略するが、回転体２０の外周寄りに、リング形状の容器内に粒状の薬剤含浸体を充填した薬剤保持体を取付けたものとしても良い。
この場合には、リング状の薬剤保持体の外周又は内周に羽根片を設けることができる。
【００５４】
図１９と図２０に示すように、回転体２０を前述のように中央プレート２２に突出片２８を放射状に複数設けたものとする。
前記薬剤含浸体２ａを、リング体５１に縦板状の羽根形状体５２を放射状に設けたものとする。
前記中央プレート２２の円形突部２２ａにリング体５１を嵌合すると共に、各羽根形状体５２を各突出片２８に接して薬剤含浸体２ａを回転体２０の上面に取付けて薬剤保持手段２とする。
【００５５】
このようにすることで、薬剤保持手段２の羽根形状体５２が回転体２０の上面よりも上方に張り出して羽根のようになる。
したがって、回転体２０が回転することで各羽根形状体５２が空気に触れて薬剤を揮散すると共に、空気を撹拌することができる。
【００５６】
前述の各実施の形態において、回転体２０をさらに効率良く回転させるために、ペアリングを介在させて回転軸２６を孔１４に支持するようにしても良い。
また、回転軸２６を装置本体１側に回転自在に支持し、その回転軸２６に回転体２０の孔を嵌合して取付けることもできる。
また、薬剤保持手段２、装置本体１の形状について円形に限定されない。また、薬剤保持手段２と装置本体１の形状を同形状でなく異形状にしても良い。異形状にすることで空気の撹拌を高めることもできる。
【図面の簡単な説明】
【００５７】
【図１】本発明の第１の実施の形態を示す全体正面図である。
【図２】図１のＡ−Ａ断面図である。
【図３】装置本体と薬剤保持手段の分解した断面図である。
【図４】取付本体に回転体を取付けた状態の正面図である。
【図５】取付本体に薬剤保持手段を取付けた状態の正面図である。
【図６】本発明の第２の実施の形態を示す全体背面図である。
【図７】図６のＢ−Ｂ断面図である。
【図８】本発明の第３の実施の形態を示す全体正面図である。
【図９】図８のＣ−Ｃ断面図である。
【図１０】装置本体と薬剤保持手段の分解した断面図である。
【図１１】取付本体に回転体を取付けた状態の正面図である。
【図１２】薬剤保持体の平面図である。
【図１３】本発明の第４の実施の形態を示す平面図である。
【図１４】図１３のＤ−Ｄ断面図である。
【図１５】取付本体に回転体を取付けた状態の正面図である。
【図１６】本発明の第５の実施の形態を示す断面図である。
【図１７】薬剤保持手段の正面図である。
【図１８】薬剤保持手段の他の実施の形態を示す断面図である。
【図１９】薬剤保持手段の他の実施の形態を示す正面図である。
【図２０】図１９のＥ−Ｅ断面図である。
【符号の説明】
【００５８】
１…装置本体、２…薬剤保持手段、２ａ…薬剤含浸体、３…着用具、４…第１の磁石、５…第２の磁石、１０…取付本体、１１…カバー体、１２…薬剤収納室、１３…空気流通部、２０…回転体、２１…羽根片（撹拌手段）、３０…薬剤保持体。
【図１】
2008289439.tif 000003
【図２】
2008289439.tif 000004
【図３】
2008289439.tif 000005
【図４】
2008289439.tif 000006
【図５】
2008289439.tif 000007
【図６】
2008289439.tif 000008
【図７】
2008289439.tif 000009
【図８】
2008289439.tif 000010
【図９】
2008289439.tif 000011
【図１０】
2008289439.tif 000012
【図１１】
2008289439.tif 000013
【図１２】
2008289439.tif 000014
【図１３】
2008289439.tif 000015
【図１４】
2008289439.tif 000016
【図１５】
2008289439.tif 000017
【図１６】
2008289439.tif 000018
【図１７】
2008289439.tif 000019
【図１８】
2008289439.tif 000020
【図１９】
2008289439.tif 000021
【図２０】
2008289439.tif 000022